(57)【要約】  かみそりカートリッジ（１００）は、カートリッジのハウジング（５００）に取り付けられた一対の滑部材（３００、４００）を有し、これら滑部材は共に、単一軸（２００）を中心に旋回する
2016512059.tif 000002
【特許請求の範囲】
【請求項１】
かみそりカートリッジ（１００）であって、
ａ．前縁部と、後縁部と、皮膚接触表面と、前記皮膚接触表面と反対側の連結面とを有するハウジング（５００）と、
ｂ．前記皮膚接触表面において前記前縁部と前記後縁部との間に配置される１枚以上の剃毛刃（５１０）と、
ｃ．少なくとも１つの第１の滑部材保持構造（３１０）を介して前記ハウジングに取り付けられる第１の滑部材（３００）と、
ｄ．少なくとも１つの第２の滑部材保持構造（４１０）を介して前記ハウジングに取り付けられる第２の滑部材（４００）と、を含み、前記第１滑部材及び前記第２の滑部材が共に、単一旋回軸を中心に旋回し、前記かみそりが最大撓み位置にあるとき、前記第１の滑部材担持部と前記第２の滑部材担持部とが、１９０度〜２７０度の角度を形成する、かみそりカートリッジ。
【請求項２】
前記第１の滑部材及び前記第２の滑部材の少なくとも一方が、一対の滑部材保持構造（１１０）を介して前記ハウジングに取り付けられる、請求項１に記載のかみそりカートリッジ。
【請求項３】
前記かみそりが静止位置にあるとき、前記第１の滑部材担持部と前記第２の滑部材担持部とが１８０度の角度を形成する、請求項１又は２に記載のかみそりカートリッジ。
【請求項４】
前記第１の滑部材担持部及び前記第２の滑部材担持部が、静止位置に留まるように互いに付勢される、請求項１〜３のいずれか一項に記載のかみそりカートリッジ。
【請求項５】
前記第１の滑部材担持部と前記第２の滑部材担持部とが、１６５度〜１９５度の中の一定角度を形成する、請求項１〜４のいずれか一項に記載のかみそりカートリッジ。
【請求項６】
前記第１の滑部材担持部及び前記第２の滑部材担持部が、前記一定角度を維持しながら一緒に旋回する、請求項１〜５のいずれか一項に記載のかみそりカートリッジ。
【請求項７】
前記第１の滑部材担持部の前記保持構造が可撓性である、請求項１〜６のいずれか一項に記載のかみそりカートリッジ。
【請求項８】
前記第２の滑部材担持部の前記保持構造が可撓性である、請求項１〜７のいずれか一項に記載のかみそりカートリッジ。
【請求項９】
前記保持構造が、前記カートリッジハウジングの周囲に巻き付いて、単一ヒンジに接続する、請求項１〜８のいずれか一項に記載のかみそりカートリッジ。
【請求項１０】
前記保持構造が、前記連結面の一部を形成する、請求項１〜９のいずれか一項に記載のかみそりカートリッジ。
【請求項１１】
前記滑部材が非摩耗性組成物を含む、請求項１〜１０のいずれか一項に記載のかみそりカートリッジ。
【発明の詳細な説明】
【背景技術】
【０００１】
かみそりカートリッジのヘッドの一部又は周囲を取り巻く大きな石鹸素地を有する剃毛かみそりは既知である。例えば、米国特許第６，５８４，６９０号、同第７，８１１，５５３号、同第７，８７７，８７９号、米国特許公開第２００８／０２５０６４６号、同第２００６／０２２５２８５号、同第２００６／０８０８３７号、同第２００５／００１１０７３号、及び同第２００５／０２７８９５４を参照されたい。これらかみそりのいくつかは市販されており、Ｇｉｌｌｅｔｔｅ  Ｖｅｎｕｓ  Ｂｒｅｅｚｅ及びＶｅｎｕｓ  ＆  Ｏｌａｙかみそり、並びにＳｃｈｉｃｋ  Ｉｎｔｕｉｔｉｏｎかみそりが挙げられるが、これらに限定されない。
【０００２】
これらかみそりは、典型的には、石鹸素地を支持するためのハウジングを含み、ハウジングは、かみそりカートリッジ又はかみそりハンドルのいずれかに取り付けられる。米国特許第７，８１１，５５３号は、ヒンジを介してかみそりカートリッジのフレームに取りつけられた一対のウィング上に担持されている２つのシェービング補助部を有するかみそりについて記述している。一方のシェービング補助部はシェービング補助部はかみそりの刃の前方にあり、もう一方はかみそりの刃の後方にある。米国特許公開第２００５／００１１０７３号は、シェービング補助調製物の本体が、シェービング器具と連結されるように構成された基部に取り付けられている別のかみそりを開示している。本体は、シェービング器具の残りの部分ではなく固定位置に現れるように、基部と連結される。米国特許公開第２００８／０２５０６４６号は、かみそりカートリッジに揺動自在に取り付けられたシェービング補助部材を有するかみそりを開示しており、シェービング補助部材は、この取り付け位置において初期位置から終了位置まで旋回する。
【先行技術文献】
【特許文献】
【０００３】
【特許文献１】米国特許第６，５８４，６９０号
【特許文献２】米国特許第７，８１１，５５３号
【特許文献３】米国特許第７，８７７，８７９号
【特許文献４】米国特許公開第２００８／０２５０６４６号
【特許文献５】米国特許公開第２００６／０２２５２８５号
【特許文献６】米国特許公開第２００６／０８０８３７号
【特許文献７】米国特許公開第２００５／００１１０７３号
【特許文献８】米国特許公開第２００５／０２７８９５４を
【発明の概要】
【発明が解決しようとする課題】
【０００４】
多くの異なるかみそりが当該技術分野において記述されているが、簡単な構造であるが、それでも皮膚の輪郭に適合性があり、剃毛時に他と異なる手応え感をユーザーに与えるかみそりの必要性が依然として存在している。
【課題を解決するための手段】
【０００５】
本発明の一態様は、かみそりカートリッジであって、前縁部と、後縁部と、皮膚接触表面と、前記皮膚接触表面と反対側の連結面とを有するハウジングと、前記皮膚接触表面において前記前縁部と前記後縁部との間に配置される１枚以上の剃毛刃と、少なくとも１つの第１の滑部材保持構造を介して前記ハウジングに取り付けられる第１の滑部材と、少なくとも１つの第２の滑部材保持構造を介して前記ハウジングに取り付けられる第２の滑部材と、を含み、前記第１滑部材及び前記第２の滑部材が共に、単一旋回軸を中心に旋回する、かみそりカートリッジに関する。
【図面の簡単な説明】
【０００６】
【図１】本発明の少なくとも一実施形態によるかみそりの正面図である。
【図２ａ】本発明の少なくとも１つの実施形態によるかみそりの側面図である。
【図２ｂ】本発明の少なくとも１つの実施形態によるかみそりの側面図である。
【図２ｃ】本発明の少なくとも１つの実施形態によるかみそりの側面図である。
【図３ａ】本発明の少なくとも１つの実施形態によるかみそりの側面図である。
【図３ｂ】本発明の少なくとも１つの実施形態によるかみそりの側面図である。
【図３ｃ】本発明の少なくとも１つの実施形態によるかみそりの側面図である。
【図４ａ】本発明の少なくとも１つの実施形態によるかみそりの側面図である。
【図４ｂ】本発明の少なくとも１つの実施形態によるかみそりの側面図である。
【図５ａ】本発明の少なくとも１つの実施形態によるかみそりの側面図である。
【図５ｂ】本発明の少なくとも１つの実施形態によるかみそりの側面図である。
【図５ｃ】本発明の少なくとも１つの実施形態によるかみそりの側面図である。
【図６ａ】本発明の少なくとも１つの実施形態によるかみそりの側面図である。
【図６ｂ】本発明の少なくとも１つの実施形態によるかみそりの側面図である。
【図７】本発明の少なくとも１つの実施形態によるかみそりの正面図である。
【図８ａ】本発明の少なくとも１つの実施形態によるかみそりの側面図である。
【図８ｂ】本発明の少なくとも１つの実施形態によるかみそりの側面図である。
【図８ｃ】本発明の少なくとも１つの実施形態によるかみそりの側面図である。
【発明を実施するための形態】
【０００７】
Ｉ．かみそりの詳細
図１は、本発明の少なくとも１つの実施形態によるかみそりの正面図である。かみそりは、ハンドル８００に取り付けられたかみそりカートリッジ１００であるヘッドユニットからなる。かみそりカートリッジ１００は、少なくとも１つの刃５１０（この事例では３枚の刃で示されている）を担持しているカートリッジハウジング５００と、カートリッジの前端部（刃の手前）に位置付けられたガード５２０と、カートリッジの後縁部で、刃の後方に位置付けられた潤滑性ストリップ５３０（一般にシェービング補助部と呼ばれる）とを含む。ヘッドユニットはまた、１つ以上の潤滑ストリップを含むことができ、図１に示すように、各潤滑ストリップは任意の刃の手前に位置付けられる。本明細書に記載される既知のシェービング補助部及び潤滑ストリップの非限定的な例は、米国特許第７，５８１，３１８号、同第７，０６９，６５８号、同第６，９４４，９５２号、同第６，５９４，９０４号、同第６，３０２，７８５号、同第６，１８２，３６５号、同第Ｄ４２４，７４５号、同第６，１８５，８２２号、同第６，２９８，５５８号、及び同第５，１１３，５８５、及び２００９／０２２３０５７号に記載されている。かみそりカートリッジは、カートリッジの、かみそりの刃先を露出させる部分と皮膚との接触の仕方によって画定される剃り面を形成する。
【０００８】
ヘッドユニットは、米国特許第５，６６１，９０７号に記載される刃ユニットと同様であってもよい。ハンドルは、米国特許第５，８５５，０７１号、同第５，９５６，８５１号、及び／又は同第６，０５２，９０３号に記載されるものと同様であってもよい。刃ユニットをハンドルに接続するために、接続部材が提供されてもよく、この接続部材は、米国特許公開第２００６／００８０８３７Ａ号、及び同第２００６／００８０８３８Ａ号、並びに／又は米国特許第８，０３３，０２３に記載されている接続部材と同様であってもよい。
【０００９】
かみそりカートリッジは、刃が皮膚と接触する剃り表面、及びかみそりカートリッジがハンドルに直接又は間接的に取り付けられる、剃り表面と反対側の連結面を形成する。かみそりカートリッジは、少なくとも１つの第１の滑部材担持部３１０を介してかみそりのハウジングに取り付けられた第１の滑部材３００を含む滑部材保持構造１１０を更に含む。ここで示されている滑部材担持部は、一対の湾曲した第１の滑部材保持構造（又は支持アーム）である。この構造は真っ直ぐであってもよいことを、当該技術分野の当業者は理解するであろう。かみそりカートリッジは、少なくとも１つの第２の滑部材担持部４１０を介してかみそりのハウジングに取り付けられる第２の滑部材４００を更に含む。ここで示されている担持部は、一対の湾曲した第２の滑部材保持構造である。
【００１０】
第１の滑部材及び第２の滑部材は、単一旋回軸２００を中心に旋回するように、ハウジングにヒンジ止めされる。旋回軸２００は、滑部材担持部（即ち、保持構造）をヒンジ止めすることができるビームから形成されてもよく、又は（これら滑部材担持部を剃り面に向かって及び剃り面から離れる方向に折り畳むことができるようにする担持部間の脆弱線のように）第１の滑部材と第２の滑部材担持部との間のヒンジ連結によって画定されてもよい。図１に示すように、カートリッジハウジングは一対の突出部を含み、これら突出部は、滑部材担持部がヒンジ止めされるハウジング形態から離れる方向に側方に向けて延出している。一対の突出部が示されているが、対応する第１の滑部材担持部及び第２の滑部材担持部を有する１つの突出部を用いてもよいことを、当該技術分野の当業者は理解するであろう。
【００１１】
本発明のかみそりカートリッジは、動力又は手動の、使い捨て又は再充填可能なかみそりシステムと共に使用されてもよい。かみそりカートリッジはまた、複数の刃を含んでいてもよい。例えば、米国特許第７，１６８，１７３号は、Ｇｉｌｌｅｔｔｅ  Ｃｏｍｐａｎｙから市販される、複数の刃を備えるかみそりカートリッジを含む、Ｆｕｓｉｏｎ（登録商標）かみそりを一般的に説明する。更に、かみそりカートリッジはガード及びシェービング補助部を含み得る。様々なかみそりカートリッジが本発明に従って使用可能である。フィン、ガード及び／又はシェービング補助部を備える、及びこれらを備えない、好適なかみそりカートリッジの非限定的な例としては、Ｆｕｓｉｏｎ（登録商標）、Ｖｅｎｕｓ（登録商標）の製品ラインでＧｉｌｌｅｔｔｅ  Ｃｏｍｐａｎｙによって販売されるもの、及び米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。
【００１２】
「前方」及び「後方」という用語は、本明細書で使用するとき、刃ユニット（即ち、かみそりカートリッジ）の機構間の相対位置を画定する。少なくとも１枚の刃の「前方」の機構は、例えば、装置で処理される表面が少なくとも１枚の刃と接触する前にその機構に接触するように配置される。例えば、装置が、その意図された切断方向にストロークされる場合、ガードは刃の前方にある。刃の「後方」にある機構は、装置で処置される表面が刃に遭遇した後で、その機構に遭遇するように位置決めされ、例えば、装置が、その意図された切断方向にストロークされる場合、キャップは刃の後方に配置される。
【００１３】
一実施形態では、かみそりのガードは、ユーザーの皮膚と係合するための少なくとも１つの細長い可撓性突出部を有する。一実施形態では、少なくとも１つの可撓性突出は、前記１つ以上の伸長された縁部に一般に平行である可撓性フィンを含む。別の実施形態では、前記少なくとも１つの可撓性突出は、前記１つ以上の伸長された縁部に一般に平行ではない少なくとも１つの部分を含む可撓性フィンを含む。好適なガードの非限定的な例としては、現在のかみそりの刃に使用されるものが挙げられ、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５（Ａ１）号（上面と下面との間に延在する少なくとも１つの通路を形成するガードを有するエラストマー性ガードを開示）に開示されるものが挙げられる。
【００１４】
ヘッドユニットは、ハンドルに固定式で又は取り外し可能に取り付けられる。取り付けは、ヘッドユニットからハンドルのドッキング部材までの直接取り付けであってもよく、又は、ヘッドユニットは、相互連結部材に取り付けられた後、ハンドルのドッキング部材に連結されてもよい。本発明の設計は、米国特許第７，８１１，５５３号に示されるかみそり、又はＶｅｎｕｓ  Ｂｒｅｅｚｅタイプのかみそりに対する構造変更として達成されてもよく、加えられる顕著な変更はシェービング補助部及びシェービング補助部ホルダーであることを、当該技術分野の当業者は理解するであろう。
【００１５】
図２ａ〜図２ｃは、本発明の少なくとも一実施形態によるかみそりの側面図である。図２ａは静止位置にあるかみそりを示し、図２ｂは、カートリッジが後方に旋回し、その位置でカートリッジの後部（第１の滑部材及びかみそりカートリッジのキャップを形成する部分）が撓んでかみそりハンドルに向かって戻っているカートリッジを有するかみそりを示す。図２ｃは、カートリッジが前方に旋回し、これによりカートリッジの前部（第２の滑部材及びガードを形成する部分）がかみそりハンドルに向かって撓んでいる、同様のかみそりを示す。これらの図は、滑部材担持部が固定的であり、曲がらない実施形態を示している。一対の滑部材保持構造が示されているが、滑部材のそれぞれ又は両方は、単一構造により取り付けられるだけであってもよい。単一保持構造を用いる一実施形態では、それら単一保持構造は、かみそりの対向する側面で用いられてもよく、又は両方ともかみそりの同じ側面で用いられてもよい（例えば、第１の滑部材保持構造が、かみそりカートリッジの左側にある保持構造によってハウジングに取り付けられる場合、第２の滑部材は、かみそりカートリッジの右側に取り付けられた単一保持構造を介してハウジングに取り付けられてもよく、逆もまた同様である）。
【００１６】
図３ａ〜図３ｃは、本発明の少なくとも一実施形態によるかみそりの側面図である。図２ａ〜図２ｃに示す実施形態と同様に、カートリッジは、既存のカートリッジのように、後方及び前方に旋回することができる。ここでは、滑部材保持構造は、旋回軸２００に沿って旋回して示されており、滑部材は、剃り面の後ろ側に後方に（図３ｂ）、及びユーザーの皮膚に向かって前方に（図３ｃ）撓むことができるようになっている。一実施形態では、第１の滑部材担持部及び第２の滑部材担持部は、かみそりが静止位置にあるとき、約１６５度〜約１９５度、又は約１８０度の角度を形成する。実質的に、滑部材は、剃り面に又は剃り面あたりに静止する。滑部材に力が加えられると、第１の滑部材担持部及び第２の滑部材担持部は、旋回軸から約１９０度〜約２７０度、又は約２００度〜約２２５度の最大撓み角度を形成する（図３ｂに示す状態と同様）。かみそりはまた、旋回軸から約１３５度〜約１８０度、又は約１５０度〜約１７５度の最小撓み角度を有することができる（図３ｃに示す状態と同様）。最小撓み角度はまた、滑部材がカートリッジの別の部分と接触する位置として定義されてもよいことを、当業者は理解するであろう。
【００１７】
一実施形態では、第１の滑部材担持部及び第２の滑部材担持部は、静止位置に留まるように互いに不勢される。剃毛中に皮膚によって加えられる力は、滑部材の一方又は両方を図３ｂに示す位置へと後方に撓ませるのに十分であり得ることを、当該技術分野の当業者は理解するであろう。付勢力は、滑部材が制御不可能になり撓む程度に十分小さくなければならない。同様に、付勢力は、ユーザーが過剰な力を加える（これは、不快感を生じさせ、通常の剃毛ストロークを妨げる原因となり得る）必要がないように、大きくあってはならない。一実施形態では、付勢力は、Ｖｅｎｕｓ  Ｂｒｅｅｚｅタイプのかみそりで使用されているシェービング補助部保持部材の付勢力と同様である。
【００１８】
図４ａ〜図４ｂは、滑部材保持構造がカートリッジハウジングに枢動可能に取り付けられ、保持構造のようにシーソーのように旋回している、本発明の少なくとも一実施形態によるかみそりの側面図である。一実施形態では、第１の滑部材担持部及び第２の滑部材担持部は、約１６５度〜約１９５度、又は約１８０度といった一定角度を形成することができる。図４ａ及び図４ｂに示すように、第１の滑部材担持部及び第２の滑部材担持部は、この一定角度を維持しながら一緒に旋回することができる。
【００１９】
図５ａ〜図５ｃは、担持部のレストがロック位置にあるときに（例えば、静止位置にロックされたときに）、保持構造が前後に曲がることができるように、担持部の一方又は両方が可撓性材料で作製されている、本発明の少なくとも一実施形態によるかみそりの側面図である。本発明のこの実施形態又は任意の他の実施形態では、担持部が旋回しないように消費者がロックできるのが有利であり得る。そのような実施形態が所望の場合、使用する際に滑部材は撓むことができるが、担持部をロック位置に保持できるように、保持構造に可撓性材料を含むのが有用であり得る。
【００２０】
図６ａ〜図６ｂは、本発明の少なくとも１つの実施形態によるかみそりの側面図である。図６ａに示すカートリッジは白黒の線画で描かれているが、図６ｂは表面に陰影を付けて示されている。
【００２１】
図７は、担持部がカートリッジハウジングの周囲に巻き付いていない、本発明の少なくとも１つの実施形態によるかみそりの正面図である。この実施形態では、担持部は、カートリッジハウジングの、剃り面から離れた後方部の裏側に位置するか、又は該後方部の一部として位置している。図８ａ〜図８ｃは、滑部材が後方（８ｂ）及び前方（８ｃ）に旋回している、本発明の少なくとも一実施形態によるかみそりの側面図である。
【００２２】
一実施形態では、滑部材保持構造１１０又は保持構造の一方は、消費者が滑部材保持構造１１０をカートリッジ本体から取り外すことができるように装着されてもよく（例えば、消費者が、シェービング補助部ホルダーを有さないカートリッジにシェービング補助部ホルダーを加えることを望む場合）、あるいは、カートリッジ本体上に恒久的に装着されてもよく、又はカートリッジ本体と一体成形されてもよい。一実施形態では、保持構造１１０は、ヘッドユニットのハウジングの背面上の１つ以上のクリップと係合することにより、カートリッジに取り外し可能に取り付けられてもよい。滑部材担持部は、米国特許第７，８１１，５５３号に説明されているように、ハウジングをクリップの下に滑り込ませた後、クリップを撓ませてそれらを定位置にスナップ留めすることによって、ハウジングに係合されてもよい。
【００２３】
一実施形態では、滑部材と担持部は一体形成される（つまり、これらは、単一成形型に一緒に鋳込まれる場合のように、同じプロセスで形成される）。滑部材と担持部が一体成形されない実施形態では、滑部材は、担持部の保持部分の周囲に滑部材を成形するか、ないしは別の方法で外装するなど、機械的連結を介して滑部材に取り付けられてもよく、又は滑部材と保持部分とは、接着剤若しくは熱により結合されてもよい。担持部の、滑部材に取り付けられる部分は、Ｖｅｎｕｓ  Ｂｒｅｅｚｅ（登録商標）ラインの２−ｉｎ−１かみそり、及び／又はｔｈｅ  Ｓｃｈｉｃｋ（登録商標）Ｉｎｔｕｉｔｉｏｎ（登録商標）ラインのかみそりで使用されているものと同様であってよい。別の実施形態では、シェービング補助部及びシェービング補助部ホルダーは、米国特許公開第２００６／２２５２８５Ａ号及び同第２００６／０８０８３７Ａ号、並びに／又は米国特許第７，８１１，５５３号に開示されるものと同様であってもよい。
【００２４】
いくつかの実施形態では、第１の滑部材担持部を旋回軸及び／又は第２の滑部材担持部に接続するヒンジは、エラストマー材料、例えば、ブロックコポリマーで形成される。滑部材がユーザーの皮膚と接触する時に容易に撓むと同時に、良好なバネ戻りをウィングにもたらすように、エラストマー材料は一般に、柔軟に曲がるように選択される。例えば、エラストマー材料は、約０．７〜２．１ＭＰａ（１００〜３００ｐｓｉ）の曲げ弾性率を有してもよい。
【００２５】
ＩＩ．滑部材
ａ．非摩耗性滑部材
一実施形態では、滑部材は、濡れるとよく滑る非摩耗性材料で作製されてもよい。好適な非摩耗性材料の例としては、金属、ガラス、及び硬質プラスチックが挙げられ、又は滑りやすさを促進するコーティング（テフロン又はセラミックコーティングなど）を含んでもよい。一実施形態では、非摩耗性滑部材は、濡れた又は乾燥した状態で皮膚と接触したときに高い摩擦係数を有しない、ポリオキシメチレン、ＰＶＣ、又は他の市販の硬質プラスチックで作製されてもよい。
【００２６】
ｂ．従来のシェービング補助部
滑部材が、化学潤滑剤を送達するために使用している間に溶解又は摩滅するシェービング補助部である場合、シェービング補助部組成物は、最初に、石鹸基剤、例えば、押出石鹸基剤又は流入石鹸基剤を得る（例えば、作製する）ことによって形成され得る。ピリチオン源を含むことができるプロセス敏感成分を、石鹸基剤に組み込み、シェービング補助部組成物を形成させることができる。しかしながら、場合によっては、シェービング補助部組成物又は石鹸基剤の作製中の任意の点で添加することができるように、ピリチオン源を選択し、形成することができる。一般に、石鹸基剤が流入石鹸基剤である場合、これは、流入石鹸基剤を融解し、任意のプロセス敏感成分を添加し、次いでプロセス敏感成分が実質的に分解されていない状態のままである期間内に、例えば、約１時間以内に、例えば、成形型内に定置して組成物を冷却することによって、結果としてもたらされる組成物を冷却することによって達成される。石鹸基剤が押出石鹸基剤である場合、石鹸基剤及びプロセス敏感成分は、ミリング、粉砕、及び／又は他の混合技法によって組み合わせられ、精製され、シェービング補助部組成物を形成するように押出される。更に、プロセス敏感成分の再融解を回避することによって、良質のシェービング補助部組成物を達成することができる。
【００２７】
シェービング補助部部分の一方又は両方は、本明細書に記載される成形シェービング補助部組成物で形成され、一方、シェービング補助部部分の一方は、所望により、異なる、又は追加の組成物を含むことができる。例えば、前側シェービング補助部部分は、成形シェービング補助部組成物を含んでもよく、一方、後側部分は、シェービング補助部部分の代わりに、又はそれに加えて、皮膚軟化剤及び保湿剤などの皮膚鎮静並びにコンディショニング成分を含んでもよい。
【００２８】
シェービング補助部部分は、それらが、皮膚と接触すると、通常の撓んでいない位置から曲がった位置に弾性的に撓むように装着される。この撓みによって、脇の下の窪み（腋窩）又は膝の後ろなどの到達が困難又は制限された区域内で、かみそりが容易に使用できるようになる。シェービング補助部部分の撓みはまた、シェービング中に過度の圧力をユーザーが加える場合に、シェービング補助部部分の早過ぎる磨耗及びユーザーへの不快感も防ぐ。一実施形態では、撓みの角度は、少なくとも約１０度、例えば、約１０度〜６０度、典型的には約２０度〜４０度である。角度Ａは、旋回軸２００から、装置が静止位置にあるときの滑部材の最も高い点まで線を引き、滑部材が静止位置にあるときのこの線と、滑部材がその設計限界まで撓められたときとの間の角度を測定することによって測定される。
【００２９】
ポリオキシエチレンは、約１００，０００〜約５，０００，０００の分子量を有することができる。シェービング補助部組成物は、シリコーンポリマー（例えば、約０．２５重量％〜約５重量％のシリコーンポリマー）を更に含むことができる。シェービング補助部組成物は、ポリエチレン、ポリブテン、及び鉱油組成物を更に含むことができる。組成物は、約０．２５重量％〜約５重量％のシリコーンポリマー、約１０重量％〜約６０重量％の脂肪酸塩、約０．１重量％〜約８重量％のエステル、約０．２５重量％〜約１０重量％のポリオキシエチレン、並びに約０．３重量％〜約１０重量％のポリエチレン、ポリブテン、及び鉱油組成物を含むことができる。石鹸基剤は、流入石鹸基剤、押出石鹸基剤、又はこれらの組み合わせであってもよい。
【００３０】
任意選択の耐摩滅性促進成分は、シェービング補助部組成物が、より多くの回数の剃毛を通じて存続するように、及び／又はシェービング補助部組成物が、水の存在下で急速に溶解若しくは崩壊しないように、シェービング補助部組成物の耐摩滅性を高める（耐摩滅性促進成分のないシェービング補助部組成物と比較して）ことができる。多くの耐摩滅性促進成分が、プロセスに敏感である。多くの他の望ましい成分、例えば、保湿剤、芳香剤などは、同様にプロセスに敏感である。そのようなプロセス敏感成分を成形石鹸ベースのシェービング補助部組成物に組み込むことを可能にする方法が提供される。
【００３１】
ｉ．石鹸基剤
シェービング補助部組成物は、石鹸基剤、例えば、流入石鹸基剤又は押出石鹸基剤を含む。石鹸基剤の基本的な構成要素は、基剤を形成する鹸化若しくは中和された植物油又は獣脂であってもよく、あるいは合成流入石鹸基剤であってもよい。また、ココナツ酸又は他の脂肪酸の過脂肪材料含有部分（例えば、約２５重量％を超える）が使用されてもよい。幾つかの実施形態では、シェービング補助部組成物は、鹸化若しくは中和された植物油又は獣脂など、あるいは前述の材料の組み合わせを含む、基剤を含む。植物油若しくは獣脂の鹸化又は中和は、基剤を形成する脂肪酸のグリセロール及び塩の生成をもたらす。シェービング補助部組成物は、不透明、半透明、又は透明であってもよい、約５０重量％〜約１００重量％の鹸化又は中和された基剤（例えば、約７５重量％〜約１００重量％の鹸化又は中和された基剤）を含むことができる。生成され得る例示的な脂肪酸の塩には、最大で約２２個の炭素原子を有する、カルボン酸ナトリウム塩が挙げられる。
【００３２】
石鹸基剤は、合成石鹸基剤であってもよい。特定の実施形態では、合成石鹸基剤は、グリコール（例えば、ジプロピレングリコール、プロピレングリコール、トリプロピレングリコール、及び／又はメチルプロパンジオールグリコール）、グリセリン、脂肪酸塩（例えば、ステアリン酸ナトリウム及び／又はステアリン酸カリウム）、Ｃ１５〜Ｃ２５アルコール（例えば、ベヘニルアルコール、ステアリルアルコール、セチルアルコール、及び／又はミリスチンアルコール）、ステアレス（例えば、Ｂｒｉｊ（登録商標）−７２１等のステアレス２１等）、ステアリン酸、微結晶ろう（例えば、微結晶ろうＳＰ  １６、ＳＰ  １９、ＳＰ  １６、ＳＰ  １８、ＳＰ−１６７４、ＳＰ  １６Ｗ、ＳＰ  ６０Ｗ、ＳＰ  ８９、Ｍｕｌｔｉｗａｘ  １８０Ｍ、Ｘ−１４５、Ｗ−４４５、及び／又はＷ−８３５）、１つ以上の界面活性剤（例えば、Ｔｅｇｏｂｅｔａｉｎｅ  Ｆ−５０、Ｌｏｎｚａｉｎｅ（登録商標）、Ｍａｃｋａｍ（登録商標）群の界面活性剤、Ｍｉｒａｔａｉｎｅ（登録商標）群の界面活性剤）、並びにラウリルエーテル硫酸ナトリウム（「ＳＬＥＳ」）（例えば、２５％活性ＳＬＥＳ）が挙げられる。幾つかの実施形態では、グリセリンは、石鹸基剤中に含まれていない。所望により、以下により詳細に記載されるプロセス敏感相の一部又は全体に、グリセリンを含むことができる。
【００３３】
特定の実施形態では、石鹸基剤は、全て流入石鹸基剤の、約０．５重量％〜約３０重量％のグリコール（例えば、約１０重量％〜約２５重量％のグリコール又は約１２重量％〜約１５重量％のグリコール）、約１０重量％〜約４０重量％のグリセリン（例えば、約１８重量％〜約３４重量％のグリセリン又は約１８重量％〜約２４重量％のグリセリン）、約２０重量％〜約４０重量％の脂肪酸塩（例えば、約２５重量％〜約４０重量％の脂肪酸塩（例えば、ステアリン酸塩）又は約３０重量％〜約３５重量％の脂肪酸塩）、約０．１重量％〜約１０重量％のステアリン酸（例えば、約２重量％〜約５重量％のステアリン酸）、約０．５重量％〜約１０重量％の微結晶ろう（例えば、約０．５重量％〜約５重量％の微結晶ろう又は約１重量％〜約３重量％の微結晶ろう）、約１重量％〜約１５重量％のベタイン（例えば、約２有効重量％〜約１０有効重量％のベタイン又は約４有効重量％〜約９有効重量％のベタイン）、及び約１有効重量％〜約２０有効重量％のＳＬＥＳ（例えば、約１有効重量％〜約２０有効重量％のＳＬＥＳ又は約１０有効重量％〜約１５有効重量％のＳＬＥＳ）を含むことができる。ピリチオン源の添加の前の例示的な一流入石鹸基剤は、以下を含む。
【００３４】
【表１】
2016512059.tif 000003
【００３５】
幾つかの実施形態では、基剤及び合成界面活性剤の組み合わせを採用することができる。
【００３６】
ｉｉ．シェービング補助部組成物内の他の成分
ピリチオン源
滑部材がシェービング補助部である一実施形態では、シェービング補助部は、１つ以上のピリチオン源を含み得る。本明細書で使用するとき、ピリチオン源は、抗微生物効果並びに／又は他の審美的及び剃毛利益を提供することができるピリチオン及びピリチオン塩であってもよい。好ましいピリチオン塩は、亜鉛、スズ、カドミウム、マグネシウム、アルミニウム、及びジルコニウムなどの重金属から形成されるものである。亜鉛塩、特に１−ヒドロキシ−２−ピリジンチオン（ジンクピリジンチオン、ジンクピリチオン、ＺＰＴとも名付けられる）の亜鉛塩は、最も好ましい。ナトリウムなどの他のカチオンもまた、好適であり得る。ピリチオン源は、ナトリウムピリチオン、ジンクピリチオン、二硫化マグネシウムピリチオン、ピリチオン酸、ジピリチオン、キトサンピリチオン、及びこれらの組み合わせからなる群から選択されてもよい。好ましくは、これは、ナトリウムピリチオン又はジンクピリチオンであり、より好ましくは、これは、ジンクピリチオン（ＺＰＴ）である。ＺＰＴは、様々な供給業者から市販されている。例えば、Ａｒｃｈ  Ｃｈｅｍｉｃａｌから入手可能なＺＰＴ  ＦＰＳを使用することができる。これは、４８有効％のＺＰＴを含む水分散液である。
【００３７】
ピリチオン源は、個人向け洗浄技術分野において周知であり、例えば、米国特許第２，８０９，９７１号、米国特許第３，２３６，７３３号、米国特許第３，７５３，１９６号、米国特許第３，７６１、４１８号、米国特許第４，３４５，０８０号、米国特許第４，３２３，６８３号、米国特許第４、３７９，７５３号、米国特許第４，４７０，９８２号に記載されている。上述の特許文献内のピリチオン源についての説明は、参照によって本明細書に組み込まれる。ピリチオン源は、約０．０５重量％、０．１重量％、若しくは０．４重量％〜約０．５重量％、１重量％、２重量％、又は５重量％の範囲の量で、シェービング補助部組成物内に存在することができる。こうしたシェービング補助部の例は、米国特許公開第２０１２／０２１６４０８Ａ号に詳細に説明されている。
【００３８】
亜鉛源
シェービング補助部組成物は、約０．０１重量％〜約０．５重量％のレベルで、亜鉛源を更に含んでもよい。好適な亜鉛源には、同様に変色抑止利益を提供することができる、米国特許第４，１６１，５２６号に記載される亜鉛含有材料が挙げられる。具体的に、亜鉛源は、有機カルボン酸亜鉛塩、無機亜鉛塩、水酸化亜鉛、酸化亜鉛、及びこれらの組み合わせの亜鉛塩からなる群から選択される。一実施形態では、亜鉛源は、炭酸亜鉛及び／又は酸化亜鉛である。亜鉛源、例えば、炭酸亜鉛もまた、ピリチオン源の有効性を高めることができることで知られている。一実施形態では、シェービング補助部は、０．５％のジンクピリチオン、２％の炭酸ナトリウム、及び０．１％の炭酸亜鉛を含む。
【００３９】
ジンクピリチオン
実施形態例によると、シェービング補助部は、１−ヒドロキシ−２−ピリジンチオン（「ジンクピリチオン」又は「ＺＰＴ」として知られる）の亜鉛塩などのピリチオン又はピリチオンの多価金属塩を更に含むことができる。
【００４０】
一実施形態では、石鹸基剤内に含まれるジンクピリチオンは、プレートレット粒子形態（「プレートレットＺＰＴ」）の乾燥粉末ジンクピリチオンである。実施形態例によると、石鹸基剤組成物内に含まれるプレートレットＺＰＴは、例えば、約０．５μｍ〜約１０μｍ、あるいは約１μｍ〜約５μｍ、及びあるいは約３μｍのメジアン粒径、並びに約０．５μｍ〜約１０μｍ、あるいは約１μｍ〜約５μｍ、あるいは約２μｍ〜約４μｍ、及びあるいは約３μｍの平均粒径を伴う粒子を含むことができる。また、プレートレットＺＰＴは、出願整理番号１２００５の２０１１年２月２８日に出願された、Ｓｍｉｔｈらの米国特許出願第１３／０３６，８８９号の図１に示されるように、約０．６μｍ〜約１５μｍ、あるいは約０．６μｍ〜約１μｍ、あるいは約０．６μｍ〜約０．８μｍ、及びあるいは約０．６μｍ〜約０．７μｍの厚さも有することができる。シェービング補助部内に含まれるプレートレットＺＰＴは、約５未満、あるいは約１のスパンも有することができる。
【００４１】
シェービング補助部は、シェービング補助部の約０．０１重量％〜約５重量％、あるいは約０．１重量％〜約２重量％、あるいは約０．１重量％〜約１重量％のプレートレットＺＰＴを含むことができる。プレートレットＺＰＴは、シェービング補助部内に、乾燥粉末として含むことができる、つまり、例えば、石鹸成分で分散させることができる。あるいは、プレートレットＺＰＴを、例えば、石鹸基剤中の水分散液として、シェービング補助部内に含むことができる。
【００４２】
追加の抗菌剤
石鹸基剤は、所望により、シェービング補助部の抗菌効果を更に向上させる働きをすることができる、１つ以上の追加の抗菌剤を更に含むことができる。存在する場合、抗菌シェービング補助部は、約０．００１重量％〜約２重量％、好ましくは約０．０１重量％〜約１．５重量％、より好ましくは約０．１重量％〜約１重量％の抗菌シェービング補助部を含むことができる。採用することができる抗菌剤の例は、カルバニリド、例えば、トリクロカルバン（トリクロロカルバニリドとしても知られる）、トリクロサン、チバ−ガイギーからＤＰ−３００として入手可能なハロゲン化ジフェニルエーテル、ヘキサクロロフェン、３，４，５−トリブロモサリチルアニリド、及び２−ピリジンチオール−１−オキシドの塩、サリチル酸、並びに他の有機酸である。他の好適な抗菌剤は、米国特許第６，４８８，９４３号（抗菌活性剤と称される）に詳細に記載されている。
【００４３】
ｐＨ及びｐＨ調整剤
一実施形態では、本石鹸基剤のｐＨは、１０．７以上、好ましくは１１、１１．５、１２、１２．５、１３、及び１３．５以上、最大で１４までである。本明細書で使用するとき、本発明の組成物のｐＨは、任意の市販のｐＨ計測器を使用して、２５℃前後で測定される試験される組成物が固体形態である場合、最初に蒸留水中に溶解され、１０％の濃度の水溶液を形成させる。次いで、石鹸基剤を表すこの水溶液のｐＨが試験される。
【００４４】
一実施形態では、本石鹸基剤は、上述のｐＨを達成するのに十分な量のｐＨ調整剤を含む。本組成物に有用なｐＨ調整剤には、アルカリ化剤が挙げられる。好適なアルカリ化剤には、例えば、アンモニア溶液、トリエタノールアミン、ジエタノールアミン、モノエタノールアミン、水酸化カリウム、水酸化ナトリウム、二塩基性リン酸ナトリウム、可溶性炭酸塩、アンモニア溶液、トリエタノールアミン、ジエタノールアミン、モノエタノールアミン、水酸化カリウム、水酸化ナトリウム、二塩基性リン酸ナトリウム、可溶性炭酸塩、及びこれらの組み合わせが挙げられる。
【００４５】
耐摩滅性促進剤
シェービング補助部組成物は、１つ以上の耐摩滅性促進成分を含む。好適な耐摩滅性促進成分には、ステアリン酸ナトリウム、ポリオキシエチレン、ポリエチレン、エステル、及びシリコーンポリマーが挙げられる。これらの成分（例えば、エステル及びポリオキシエチレン）の多くは、典型的に、プロセスに敏感である。また、耐摩滅性促進材料は、シェービング補助部組成物に、例えば、向上された潤滑などの他の性質又は特性も付与することができる。
【００４６】
ポリオキシエチレン
好適な一耐摩滅性促進成分は、プロセス敏感材料である、ポリオキシエチレンである。ポリオキシエチレンは、典型的に、それらの通常又は平均（数平均）分子量によって特徴付けられる。数平均分子量とは、個々の分子量の合計をポリマーの数で除算したものである。この分野において既知であるように、ポリオキシエチレンの試料は、一般に、試料が数平均分子量より大きい、及び小さい個々のポリマー分子を含むような、分子量の分布を含む。
【００４７】
いずれの公称分子量のポリオキシエチレンを含むことも、成形シェービング補助部組成物の摩滅特性を改善することができる。ポリオキシエチレンは、例えば、約１００，０００ダルトン以上（例えば、約５００，０００、１，０００，０００、２，０００，０００、３，０００，０００、４，０００，０００、５，０００，０００、６，０００，０００ダルトン以上、若しくは約７，０００，０００ダルトン以上）及び／又は約８，０００，０００ダルトン以下（例えば、約７，０００，０００、６，０００，０００、５，０００，０００、４，０００，０００、３，０００，０００、２，０００，０００ダルトン以下、若しくは約１，０００，０００ダルトン以下）の近似公称分子量を有することができる。所望により、異なる公称分子量を有する２つ以上のポリオキシエチレンを採用することができる。ポリオキシエチレンは、例えば、シェービング補助部組成物の約０．１重量％以上（例えば、約０．２５重量％以上、約０．５重量％以上、約１重量％以上、約２重量％以上、約３重量％以上、約４重量％以上、約５重量％以上、約６重量％以上、約７重量％以上、約８重量％以上、若しくは約９重量％以上）及び／又は約１０重量％以下（例えば、約９重量％以下、約８重量％以下、約７重量％以下、約６重量％以下、約５重量％以下、約４重量％以下、約３重量％以下、約２重量％以下、約１重量％以下、若しくは約０．５重量％以下）のレベルで存在することができる。例示的なポリオキシエチレンには、Ｕｎｉｏｎ  Ｃａｒｂｉｄｅ  Ｃｏｒｐから入手可能なＰＯＬＹＯＸ（登録商標）群のポリオキシエチレン、及びＭｅｉｓｅｉ  Ｃｈｅｍｉｃａｌ  Ｗｏｒｋｓ（Ｋｙｏｔｏ，Ｊａｐａｎ）から入手可能なＡＬＫＯＸ（登録商標）ポリオキシエチレンに属するものが挙げられる。
【００４８】
シリコーンポリマー
また、シリコーンポリマーも、耐摩滅性促進成分として採用することができる。特に、シリコーン架橋ポリマーが使用されてもよい。シリコーン架橋ポリマーは、架橋結合することができる（例えば、架橋される）シリコーン（例えば、シリコーンベースの主鎖を有する）を含む、ポリマーである。シリコーンポリマー、特にシリコーン架橋ポリマーは、溶媒中に少なくとも約０．２５有効％（例えば、少なくとも約０．５有効％、１有効％、１．５有効％、２有効％、２．５有効％、３有効％、３．５有効％、４有効％、若しくは少なくとも約４．５有効％）及び／又は最大で約５有効％（例えば、最大で約４．５有効％、４有効％、３．５有効％、３有効％、２．５有効％、２有効％、１．５有効％、１有効％、若しくは最大で約０．５有効％）のレベルで存在することができる。特定の実施形態では、シリコーン架橋ポリマーは、約０．２５％〜約５％のレベルで存在する。例示的なシリコーン架橋ポリマーには、例えば、ラウリルジメチコン／ポリグリセリン−３架橋ポリマー（例えば、３０％のラウリルジメチコン／ポリグリセリン−３架橋ポリマー）が挙げられる。市販のシリコーン架橋ポリマーが既知であり、米国特許第７，８１１，５５３号の６段落に開示されている。
【００４９】
エステル
エステル（例えば、バター及び他の非液体エステル）は、シェービング補助部組成物に組み込むことができ、耐摩滅性促進剤として、及び／又は皮膚軟化剤（skin-softener）として機能することができる。具体的に、半固体エステルが採用されてもよく、それらは、一般に、プロセス敏感材料である。半固体エステルは、皮膚軟化剤及び／又は保湿剤として作用することができる。例示的な半固体エステルには、例えば、シアバター、カカオバター、コクムバター（kokum butter）、アボカドバター、オリーブバター、マンゴーバター、及びこれらの混合物などのバターが挙げられる。エステルは、約０．５％以上（例えば、約１％、２％、３％、４％、５％、６％以上、若しくは約７％以上）及び／又は約８％以下（例えば、約７％、６％、５％、４％、３％、２％以下、若しくは約１％以下）のレベルで、シェービング補助部組成物に組み込むことができる。
【００５０】
ポリエチレン組成物
シェービング補助部組成物は、耐摩滅性促進成分として、１つ以上のポリエチレン組成物を含むことができる。一般に、ポリエチレンは、シェービング補助部組成物の摩滅特性を改善することができるが、組成物に直接組み込むことが困難である。代わりに、ポリエチレンを、次いでシェービング補助部組成物に組み込まれる組成物に組み込むことができる。例えば、ポリエチレン、ポリブテン、及び鉱油を含む組成物（例えば、Ｓｅｎｓｉｅｎｔ  Ｔｅｃｈｎｏｌｏｇｉｅｓによって商標名Ｃｏｖａｇｌｏｓｓで販売される）を採用することができる。幾つかの実施形態では、シェービング補助部組成物は、約０．５％以上（例えば、約１％、２％、３％、４％、５％、６％以上、若しくは約７％以上）及び／又は約８％以下（例えば、約７％、６％、５％、４％、３％、２％以下、若しくは約１％以下）のポリエチレン、ポリブテン、及び鉱油組成物を含む。
【００５１】
保湿剤構成要素及び他の任意選択の成分
シェービング補助部組成物は、他のスキンケア成分及び／又は他の添加剤を更に含むことができる。組成物を向上させるために基剤に添加されてもよいスキンケア成分には、界面活性剤（例えば、イソステアロイル乳酸ナトリウム、イソステアリン酸アンモニウム、ＤＥＡ−ミリスチン酸塩、スルホン酸アルキルグリセリル、及びラウレス−１６）、ペトロラタム（例えば、皮膚軟化剤、潤滑剤、保湿剤、保湿剤、及びコンディショナー）などのスキンケア剤、発泡剤、育毛抑制剤、植物抽出物、酸化防止剤、抗菌剤、抗炎症剤、収斂剤、抗刺激剤、脱毛剤、薬剤、吸収剤、芳香剤、着色剤（例えば、染料及び顔料）、及び角質除去剤（例えば、ヘチマ、海藻、オートミール、軽石、杏子の種など）が挙げられるが、これらに限定されない。スキンケア剤の例示的な例には、グリセリン、ソルビトール、及びプロピレングリコールなどの保湿剤、メントール、アロエ、アラントイン、及びコラーゲンなどのスキンフレッシュニング並びに鎮静剤、ポリオキシエチレンなどの潤滑剤、及びシリコーン（例えばジメチコン、ジメチコノール、ジメチコンコポリオール、ステアリルジメチコン、セチルジメチコンコポリオール、フェニルジメチコン、シクロメチコンなど）、ナトリウム又はカリウム塩（例えば、乳酸塩、塩化物、スルホン酸塩など）、ビタミン及びビタミン錯体（ビタミン前駆体及び誘導体を含む）、ヤシ脂肪酸塩、金属酸化物、油（例えば、カカオバター）、ジメチコン、アラントイン、ヤシ脂肪酸スクロース、ラノリン酸オレイル、チオ尿素、酢酸トコフェロール、ＰＰＧ−３３、ウンデセス−３、蜂蜜、藻類、並びにアロエバルバデンシスが挙げられるが、これらに限定されない。幾つかの実施形態では、スキンケア成分は、約３５％以下（例えば、約３０％、２５％、２０％、１５％、１２％、１０％、８％、６％、４％以下、又は約２％以下）の量で存在することができる。吸収剤は、粘土又は粘土ベースの組成物、カオリン、木粉、塩化ナトリウム、シクロデキストリン、胡粉、滑石、シリカ、ポリテトラフルオロエチレンなどであってもよく、約９％以下（例えば、約５％以下又は約３％以下）の量で存在することができる。添加されてもよい粘土には、ベントナイト、カオリン、前述の粘土の組み合わせなどが挙げられる。
【００５２】
例示的な着色剤には、単独若しくは組み合わせの染料及び顔料、例えば、二酸化チタン、マンガンバイオレット、酸化亜鉛、ウルトラマリン（例えば、ウルトラマリン青色４）、オレンジ色４、緑色３、又は化粧品での使用が認められている他の染料若しくは顔料が挙げられる。特定の実施形態では、約６重量％以下（例えば、約４重量％、２重量％、１重量％、０．１重量％、０．０１重量％、０．００１重量％、０．０００１重量％以下、若しくは更には約０．００００１重量％以下）及び／又は約０．０００００１重量％以上（例えば、約０．００００１重量％、０．０００１重量％、０．００１重量％、０．０１重量％、０．１重量％以上、若しくは約１重量％以上）の量の着色剤を添加することができる。
【００５３】
芳香剤は、組成物に所望の香りを付与するために使用される着香剤であり、更に、組成物の他の構成要素のそれほど望ましくない臭いを隠し得る。化粧品での使用が認められている任意の芳香剤が採用されてもよい。特定の実施形態では、最大で約４％（例えば、最大で約２％、最大で約１．５％、又は最大で約１％）の量の少なくとも１つの芳香剤成分を添加することができる。
【００５４】
例示的なプロセス敏感相には、以下のものが挙げられる。
【００５５】
【表２】
2016512059.tif 000004
【００５６】
シェービング補助部の摩滅特性
幾つかの実施形態では、シェービング補助部組成物は、良好な摩滅特性を呈する。多数の方法で摩滅特性を判定することができる。例えば、シェービング補助部組成物を、かみそりの上に組み込むことができ、特定の剃毛性能特性が低下し始める前の剃毛の回数を判定することができる。他の実施形態では、シェービング補助部組成物を、研削条件（例えば、例えば研削砥石などの研削デバイスの所与の表面組成物及び速度）に設定し、所与の期間内にどれだけの組成物が摩滅するかを判定することによって、摩滅を判定することができる。
【００５７】
幾つかの実施形態では、質感付けした表面上、及びこの質感付けした表面とシェービング補助部本体との間への水流を維持することによって、耐摩滅性を測定することができる。このプロセスは、米国特許第７，８１１，５５３号の１２段落３３行目〜５６行目に記載されている。別の摩滅試験は、ホルダー上に成形されたシェービング補助部組成物のカートリッジを利用し、湿式ホイール装置を使用してカートリッジを試験する。このプロセスは、米国特許第７，８１１，５５３号の１２段落５７行目〜１３段落１３行目に記載されている。
【００５８】
ＩＩＩ．成形シェービング補助部組成物を作製する方法
多工程プロセス
一実施形態では、シェービング補助部は、成形され、米国特許第７，８１１，５５３号の８段落６０行目〜１１段落６行目に概して記載されるような多工程プロセスによって形成することができる。手短に言えば、２工程プロセスは、流入石鹸基剤を形成する第１の工程を含むことができる。
【００５９】
流入石鹸基剤は、獣脂若しくは植物ベースの石鹸基剤、合成石鹸基剤、又はこれらの組み合わせであってもよい。特定の実施形態では、石鹸基剤を形成するプロセスは、石鹸基剤成分を約８０℃以上の温度（例えば、約８５℃、９０℃、９５℃、１００℃、１０５℃以上の温度）まで上昇させる工程を含む。幾つかの実施形態では、石鹸基剤成分は、約１時間以上（例えば、約２、３、４、５、１０時間以上、又は約２０時間以上）の期間、これらの温度にさらされる。
【００６０】
第２の工程では、特定のピリチオン源、エステル、ポリオキシエチレン、芳香剤、染料、及び他の任意選択の成分などのプロセスに敏感な成分の１つ以上を含むことができる、第２の相が調製される。グリセリンを約２５℃〜約５０℃（例えば、約３５℃）の温度まで温め、任意のプロセス敏感成分を添加することによって、第２の相を調製することができる。高温は、これらの成分の組み込みを助長することができ、組み込まれる特定の成分を基準に選択することができる。例えば、バターは、典型的に、約３５℃で融解し、そのため、第２の相の温度を約３５℃まで上昇させることは、バターを相に融解するのを助長することができる。成分の選択及び選択される成分の量は、最終的なシェービング補助部組成物に望まれるレベルによって様々である。幾つかの実施形態では、それ自体はプロセスに敏感ではない成分を第２の相に含むことができる。特定の実施形態では、第２の相の温度を、第２の相が石鹸基剤に添加されるときなどまで、約２５℃〜約５０℃（例えば、約３５℃）に維持することができる。他の実施形態では、第２の相を、石鹸基剤に組み込む前に、冷却する（例えば、室温に）ことができる。
【００６１】
第３の工程として、石鹸相の混合物からシェービング補助部組成物を形成することができ、第２の相が、図１に図示されている。固化流入石鹸基剤２０２は、融解した石鹸２０４を形成するように、約９０℃〜約１００℃（例えば、約９１℃、約９２℃、約９３℃、約９４℃、約９５℃、約９６℃、約９７℃、約９８℃、約９９℃、又は約１００℃）の温度まで加熱され、再融解される。融解した石鹸２０４は、ポンプ２０６を介して、撹拌機構２１２を備える加熱された充填剤供給容器２１０に定量送出される。充填剤供給容器２１０は、その内容物の温度を約９５℃に維持するように構成される。第２の相２２０は、加熱されたチャンバ２２２内のプロセス敏感成分２２４を混合することによって形成される。次いで、第２の相２２０は、ポンプ２２８を介して、充填剤供給容器２１０に定量送出され、融解シェービング補助部組成物２３０を形成するように、石鹸基剤２０２と混合される。
【００６２】
次いで、融解シェービング補助部組成物２３０は、充填ポンプ２３２を介して、シェービング補助部組成物が、成形シェービング補助部組成物２４０を形成するように冷却される、成形ブロック２３８内に形成された個々の成形型２３６に定量送出される。融解シェービング補助部組成物２３０の温度は、シェービング補助部組成物が成形型２３６内に定置されるまで、約９５℃の温度に維持される。
【００６３】
融解シェービング補助部組成物２３０は、プロセス敏感成分２２４を含むことができるため、融解シェービング補助部組成物２３０は、プロセス敏感成分２３０の実質的な分解をもたらし得るより短い期間、高温に保たれる。例えば、幾つかの実施形態では、融解シェービング補助部組成物２３０は、成形型内に定置され、冷却される前に、約１２０分以下（例えば、約１１０分以下、約１００分以下、約９０分以下、約７５分以下、約６０分以下、約５０分以下、約４０分以下、約３０分以下、約２０分以下、約１０分以下、約５分以下、又は更には約２分以下を含む）、高温に保たれる。このようにして、プロセス敏感成分が実質的に分解されていない、成形シェービング補助部組成物を形成することができる。
【００６４】
特定の実施形態では、シェービング補助部組成物は、成形型内に既に位置付けられているシェービング補助部装着デバイス（例えば、以下に記載されるウィング）を有する成形型内に定置される。このようにして、シェービング補助部組成物は、固化すると、自体をシェービング補助部装着デバイスに埋め込むことができる。
【００６５】
いったんシェービング補助部組成物が十分な点（例えば、成形型から容易に分離するまで十分に固化した点）まで冷却すると、シェービング補助部組成物を成形型から取り外すことができる。幾つかの実施形態では、シェービング補助部組成物は、成形型から取り外される前に、およそ室温まで冷却される。他の実施形態では、シェービング補助部組成物は、成形型から取り外される前に、約８０℃以下（例えば、約７５℃、７０℃、６５℃、６０℃、５０℃、４０℃以下、約３０℃以下、約２５℃以下、約２０℃以下、約１５℃以下、約１０℃以下、約５℃以下、又は約０℃以下）の温度まで冷却される。
【００６６】
１工程バッチプロセス
幾つかの実施形態では、ピリチオン源及び任意のプロセス敏感成分を、１工程バッチプロセスにおいて、流入石鹸基剤融解物に直接添加することができる。そのような一実施形態では、流入石鹸基剤融解物は、約９５℃に維持され、流入石鹸基剤融解物を最初に冷却して次いで再融解することなく、シェービング補助部組成物を形成するように、第２の相が融解物に添加される。次いで、シェービング補助部組成物は、１つ以上の成形型内に定置され、冷却される。別のそのような実施形態では、プロセス敏感成分は、最初にプロセス敏感相に組み込まれることなく、流入石鹸基剤融解物に直接混合される。次いで、結果としてもたらされるシェービング補助部組成物は、１つ以上の成形型内に定置され、冷却される。それぞれの場合において、組成物は、プロセス敏感成分の一部又は全てが実質的に分解するのに十分な時間が経過する前に、成形型内に定置され、冷却される。具体的に、プロセス敏感成分を融解した石鹸基剤に添加してから、融解シェービング補助部組成物を成形型内に定置し、シェービング補助部組成物を冷却するまでの経過時間は、プロセス敏感成分の一部又は全てが、典型的に、混合工程の高温及び剪断で分解し始めるより短い時間であるべきである。一般に、この時間は、約９０分未満（例えば、約８０、７０、６０、５０、４０、３０、２０、１０分未満、又は約５分未満）である。
【００６７】
連続プロセス
幾つかの実施形態では、成形シェービング補助部組成物は、連続プロセスで調製される。石鹸基剤の成分は、最初に組み合わせられ、成分の温度を、少なくとも約９０℃（例えば、少なくとも約９５℃、１００℃、１０５℃、１１０℃、１１５℃、又は少なくとも約１２０℃）まで上昇させるために、加熱されたチャンバを通して流される。加熱されたチャンバ及びポンピング機構は、成分を十分に融解し、混合するのに十分な、石鹸基剤構成要素の高温での滞留時間を可能にするように構成される。
【００６８】
次に、融解物は、約１００℃以下（例えば、約９０℃以下、約８０℃以下、又は約７０℃以下）に維持される第２のチャンバに移動される。別の方法では、融解物を、第１のチャンバ内に保持することができ、第１のチャンバの温度を、約１００℃以下（例えば、約９０℃以下、約８０℃以下、又は約７０℃以下）に下げることができる。この温度を維持しながら、プロセス敏感成分は、石鹸基剤融解物に導入されかつ混合され、シェービング補助部組成物を形成させる。成分を個々に導入することができる、又は上述されるプロセス敏感相の形態で導入することができる。次いで、シェービング補助部組成物は、成形シェービング補助部組成物を形成するように、例えば、射出成形によって成形型に流し込まれ、冷却される。
【００６９】
押出石鹸
特定の実施形態では、押出石鹸を使用することができる。押出石鹸形成プロセス２５０。石鹸基剤は、一般に、液体石鹸基剤２５６、及び液体石鹸基剤２５６から除去されるグリセリン２５８を形成する（例えば、鹸化又は中和反応によって）ように、反応容器２５４内で石鹸基剤成分２５２を組み合わせることによって形成される。液体石鹸基剤は、少なくとも一部の水が除去される（例えば、真空スプレー乾燥によって）乾燥チャンバ２６０に移動されて、実質的に乾燥した石鹸ペレット２６２（例えば、乾燥石鹸麺又は削屑）を形成させる。次いで、乾燥石鹸ペレット２６２は、アマルガム器２６４に導入される乾燥石鹸ペレット２６６をプロセス敏感成分２７０と共に混合及び／又は粉砕するための１つ以上のパドル２６６を有する、アマルガム器２６４に導入され、押出石鹸乾燥ブレンド２７２を形成させる。幾つかの実施形態では、押出石鹸乾燥ブレンド２７２を、巨大分子均質化することができる（例えば、プロセス敏感成分の乾燥石鹸ペレット中への実質的に均一の分布を達成することができる）。次いで、押出石鹸乾燥ブレンド２７２は、例えば、押出石鹸乾燥ブレンド２７２を１つ以上の圧延装置２７４に導入することによって、精製され、実質的に均一の質感を達成する。次いで、押出石鹸乾燥ブレンド２７２は、更なる処理工程２７８（例えば、所望の最終形状に切断及び／又は打ち抜きする工程）を施すことができる、連続棒状の押出石鹸２７８を形成するために、押出機２７６を使用して、所望により熱（例えば、９５℃、９０℃、８５℃、８０℃、７０℃、６０℃、５０℃、４０℃、３０℃以下、若しくは２５℃以下）及び／又は圧力を使用して押出される。
【００７０】
本明細書の全体を通じて与えられる全ての最大数値限定は、それよりも小さい数値限定を、そうしたより小さい数値限定があたかも本明細書に明確に記載されているものと同様にして包含するものと理解すべきである。本明細書の全体を通じて与えられる全ての最小の数値限定は、それよりも大きい全ての数値限定を、そうしたより大きい数値限定が恰も本明細書に明確に記載されているものと同様にして包含するものである。本明細書の全体を通じて与えられる全ての数値範囲は、そうしたより広い数値範囲に含まれる全てのより狭い数値範囲を、そうしたより狭い数値範囲の全てが恰も本明細書に明確に記載されているものと同様にして包含するものである。
【００７１】
特に指定のないかぎり、本明細書の明細、実施例、及び請求の範囲における全ての部、比、及び百分率は、重量基準であり、全ての数値限定は、当該分野により提供される通常の程度の精度で使用される。更に、本明細書で使用するとき、群について群の要素のリスト「を含む」と記述する場合、この群はまた、群の要素の同じリスト「から本質的になる」又は「なる」ことができる。
【００７２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００７３】
任意の相互参照又は関連特許若しくは関連出願を含む本明細書に引用される文献は全て、明らかに除外されるか又は別の方法で限定されないかぎり、それらの全容を本明細書に参照によって援用する。いずれの文献の引用も、こうした文献が本明細書で開示又は特許請求される全ての発明に対する先行技術であることを容認するものではなく、あるいは、こうした文献が、単独で、又は他の全ての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【００７４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2016512059.tif 000005
【図２ａ】
2016512059.tif 000006
【図２ｂ】
2016512059.tif 000007
【図２ｃ】
2016512059.tif 000008
【図３ａ】
2016512059.tif 000009
【図３ｂ】
2016512059.tif 000010
【図３ｃ】
2016512059.tif 000011
【図４ａ】
2016512059.tif 000012
【図４ｂ】
2016512059.tif 000013
【図５ａ】
2016512059.tif 000014
【図５ｂ】
2016512059.tif 000015
【図５ｃ】
2016512059.tif 000016
【図６ａ】
2016512059.tif 000017
【図６ｂ】
2016512059.tif 000018
【図７】
2016512059.tif 000019
【図８ａ】
2016512059.tif 000020
【図８ｂ】
2016512059.tif 000021
【図８ｃ】
2016512059.tif 000022
【国際調査報告】
2016512059.tif 000023
2016512059.tif 000024
2016512059.tif 000025